(57)【要約】  信号を受信するための無線受信機（１０）を提供する。無線受信機（１０）は、第１セットの係数を用いて初期化された定包絡アルゴリズムを受信信号に対して実行するように構成され、等化済み信号（２３）を生成するための等化器（２２）を含む。無線受信機（１０）には、更に、等化器（２２）に結合され、等化済み信号（２３）を復調するための復調器（２４）を含む。無線受信機（１０）は、更に、復調器（２４）に結合され、復調済み信号を低域通過フィルタ処理してスプリアス信号を検出し、そして、オフセット信号（３１）を生成するための低域通過フィルタ（３０）を含む。無線受信機（１０）は、更に、低域通過フィルタ（３０）に結合された係数発生器（３２）を含む。係数発生器（３２）は、オフセット信号（３１）を所定のしきい値と比較し、そして、オフセット信号（３１）が所定のしきい値に関する所定の条件を満足すれば、定包絡アルゴリズムを再初期化するための第２セットの係数を生成するように構成されている。
2010528533.tif 000002
【特許請求の範囲】
【請求項１】
信号を受信するための無線受信機であって、
第１セットの係数を用いて初期化した定包絡アルゴリズムを前記受信信号に対して実施するように構成され、且つ等化済み信号を生成するための等化器と、
前記等化器に結合され、前記等化済み信号を復調するための復調器と、
前記復調器に結合された低域通過フィルタであって、前記復調済み信号を低域通過フィルタ処理してスプリアス信号を検出し、且つオフセット信号を生成するための、前記低域通過フィルタと、
前記低域通過フィルタに結合された係数発生器であって、前記オフセット信号を所定のしきい値と比較し、前記オフセット信号が前記所定のしきい値に関する所定の条件を満足すれば、前記定包絡アルゴリズムを再初期化するための第２セットの係数を生成するように構成されている、前記係数発生器と
を備える、無線受信機。
【請求項２】
請求項１に記載の無線受信機であって、前記定包絡アルゴリズム用の前記第２セットの係数は、前記スプリアス信号の周波数及び所定のひな形フィルタに関連する１セットの係数に基づき生成される、無線受信機。
【請求項３】
請求項１に記載の無線受信機であって、前記係数発生器は、更に、前記オフセット信号に基づき前記スプリアス信号の周波数を決定するように構成されている、無線受信機。
【請求項４】
請求項３に記載の無線受信機であって、前記係数発生器は、更に、参照表を用いて、前記オフセット信号に基づき前記スプリアス信号の前記周波数を決定するように構成されている、無線受信機。
【請求項５】
請求項１に記載の無線受信機であって、前記所定の条件は、前記オフセット信号が、前記所定のしきい値を超過するかどうかを含む、無線受信機。
【請求項６】
請求項１に記載の無線受信機であって、更に、多重化信号消去器を備え、前記係数発生器は、前記オフセット信号が前記所定の条件を満足すれば、前記多重化信号消去器に関連付けられた雑音検出しきい値を下げるように構成されている、無線受信機。
【請求項７】
請求項６に記載の無線受信機であって、前記所定の条件は、前記オフセット信号が前記所定のしきい値を超過するかどうかを含む、無線受信機。
【請求項８】
請求項２に記載の無線受信機であって、前記第２セットの係数は、
【数１】
2010528533.tif 000004
を含む式を用いて生成され、上式において、Ｃｏｅｆｆｉｃｉｅｎｔｓｎｅｗは、前記第２セットの係数であり、Ｃｏｅｆｆｉｃｉｅｎｔｓｐｒｏｔｏｔｙｐｅは、ノッチ周波数ｆｎｏｔｃｈにおいてノッチを有する前記所定のひな形フィルタに関係する前記セットの係数であり、ｆｓｐｕｒは、前記スプリアス信号の前記周波数であり、Ｆｓは、前記等化器のサンプル周波数であり、Ｋは、１から前記等化器のタップ数までの整数列である、無線受信機。
【請求項９】
信号を受信するための無線受信機であって、
第１セットの係数を用いて初期化された定包絡アルゴリズムを前記受信信号に対して実施するように構成され、且つ等化済み信号を生成するための等化器と、
前記等化器に結合され、前記等化済み信号を復調するための復調器と、
前記復調器に結合された低域通過フィルタであって、前記復調済み信号を低域通過フィルタ処理してスプリアス信号を検出し、且つオフセット信号を生成するための、前記低域通過フィルタと、
前記低域通過フィルタに結合され、且つ前記オフセット信号を所定のしきい値と比較し、前記オフセット信号が前記所定のしきい値に関連する所定の条件を満足すれば、前記定包絡アルゴリズムを再初期化するための第２セットの係数を生成するように構成されている、係数発生器と
を備え、前記定包絡アルゴリズム用の前記第２セットの係数は、前記スプリアス信号の周波数及び所定のひな形フィルタに関連する１セットの係数に基づき生成される、無線受信機。
【請求項１０】
請求項９に記載の無線受信機であって、前記係数発生器は、更に、前記オフセット信号に基づき前記スプリアス信号の周波数を決定するように構成されている、無線受信機。
【請求項１１】
請求項１０に記載の無線受信機であって、前記係数発生器は、更に、参照表を用いて、前記オフセット信号に基づき前記スプリアス信号の前記周波数を決定するように構成されている、無線受信機。
【請求項１２】
請求項９に記載の無線受信機であって、前記所定の条件は、前記オフセット信号が、前記所定のしきい値を超過するかどうかを含む、無線受信機。
【請求項１３】
請求項９に記載の無線受信機であって、更に、多重化信号消去器を備え、前記オフセット信号が前記所定の条件を満足すれば、前記係数発生器が前記多重化信号消去器に関連付けられた雑音検出しきい値を下げように構成されている、無線受信機。
【請求項１４】
請求項１３に記載の無線受信機であって、前記所定の条件は、前記オフセット信号が、前記所定のしきい値を超過するかどうかを含む、無線受信機。
【請求項１５】
請求項９に記載の無線受信機であって、
前記第２セットの係数は、
【数２】
2010528533.tif 000005
を含む式を用いて生成され、上式において、Ｃｏｅｆｆｉｃｉｅｎｔｓｎｅｗは、前記第２セットの係数であり、Ｃｏｅｆｆｉｃｉｅｎｔｓｐｒｏｔｏｔｙｐｅは、ノッチ周波数ｆｎｏｔｃｈのノッチを有する前記所定のひな形フィルタに関連する前記係数セットであり、ｆｓｐｕｒは、前記スプリアス信号の前記周波数であり、Ｆｓは、前記等化器のサンプル周波数であり、Ｋは、１から前記等化器のタップ数までの整数列である、無線受信機。
【請求項１６】
信号を受信するための無線受信機における方法であって、
第１セットの係数を用いて初期化された定包絡アルゴリズムを前記受信信号に対して実施し、等化済み信号を生成する段階と、
前記等化済み信号を復調する段階と、
前記復調済み信号をフィルタ処理してスプリアス信号を検出し、且つオフセット信号を生成する段階と、
前記オフセット信号を所定のしきい値と比較し、前記オフセット信号が前記所定のしきい値に関連する所定の条件を満足すれば、前記定包絡アルゴリズムを再初期化するための第２セットの係数を生成する段階と
を備える方法。
【請求項１７】
請求項１６に記載の方法であって、前記定包絡アルゴリズム用の前記第２セットの係数は、前記スプリアス信号の周波数及び所定のひな形フィルタに関連する一セットの係数に基づき生成される、方法。
【請求項１８】
請求項１６に記載の方法であって、更に、前記オフセット信号に基づき前記スプリアス信号の周波数を決定する段階を備える、方法。
【請求項１９】
請求項１６に記載の方法であって、前記所定の条件は、前記オフセット信号が、前記所定のしきい値を超過するかどうかを含む、方法。
【請求項２０】
請求項１７に記載の方法であって、前記第２セットの係数を生成する段階は、
【数３】
2010528533.tif 000006
を含む式を用いる段階を含み、上式において、Ｃｏｅｆｆｉｃｉｅｎｔｓｎｅｗは、前記第２セットの係数であり、Ｃｏｅｆｆｉｃｉｅｎｔｓｐｒｏｔｏｔｙｐｅは、ノッチ周波数ｆｎｏｔｃｈのノッチを有する前記所定のひな形フィルタに関連する前記セットの係数であり、ｆｓｐｕｒは、前記スプリアス信号の前記周波数であり、Ｆｓは、前記等化器のサンプル周波数であり、Ｋは、１から前記等化器のタップ数までの整数列である、方法。
【発明の詳細な説明】
【技術分野】
【０００１】
本開示は、一般的に、無線に関し、特に、チャネル等化器を有する無線受信機及びそのための方法に関する。
【背景技術】
【０００２】
定包絡アルゴリズム（ＣＭＡ）は、通常、デジタルＦＭ（周波数変調）受信機にチャネル等化器機能を提供するために用いる。チャネル等化器は、マルチパス雑音又は隣接チャネル干渉の影響を補正又は緩和するために用いられる。しかしながら、場合によっては、ＣＭＡは、ＦＭ受信機において意図しない影響を及ぼすことがある。例えば、単一周波数トーン（スパー）が、ＲＦ（無線周波数）フロントエンドの欠陥によって対象周波数帯内に生成されることがある。更に、スパーは、演算Ｄ級デジタル増幅器のスイッチングによって生成し得る。スパーが所望のＦＭ信号（対象信号又はＳＯＩ）より大きい振幅を有する場合、ＣＭＡベースのチャネル等化器は、ＳＯＩを抑制しつつ、スパーに固定される。
【発明の概要】
【発明が解決しようとする課題】
【０００３】
従って、比較的広帯域のＳＯＩを等化する能力を持ちながら、スパーを除去するＦＭ無線受信機があることが望ましい。
【図面の簡単な説明】
【０００４】
【図１】一実施形態に基づくＦＭ受信機を示す図。
【図２】図１のＦＭ受信機の様々な信号を示す図。
【図３】図１のＦＭ受信機を動作させるための方法を示す図。
【発明を実施するための形態】
【０００５】
本発明は、添付図によって、一例として示すものであり、それらによって限定するものではない。図では、同じ参照番号で同じ要素を示す。図の要素は、簡単明瞭に示されており、必ずしも縮尺通りに描かれていない。
【０００６】
一態様において、信号を受信するための無線受信機を提供する。無線受信機は、等化器、復調器、低域通過フィルタ、及び係数発生器を含む。等化器は、第１セットの係数を用いて初期化された定包絡アルゴリズムを受信信号に対して実行するように構成されており、且つ等化済み信号を生成する。復調器は、等化器に結合され、等化済み信号を復調する。低域通過フィルタは、復調器に結合され、復調済み信号を低域通過フィルタ処理してスプリアス信号を検出し、そして、オフセット信号を生成する。係数発生器は、低域通過フィルタに結合されて、且つオフセット信号を所定のしきい値と比較し、オフセット信号が所定のしきい値に関する所定の条件を満足すれば、第２セットの係数を生成して、定包絡アルゴリズムを再初期化するように構成されている。
【０００７】
他の態様において、信号を受信するための無線受信機を提供する。この無線受信機は、等化器、復調器、低域通過フィルタ、及び係数発生器を含む。等化器は、第１セットの係数を用いて初期化された定包絡アルゴリズムを受信信号に実行するように構成されており、且つ等化済み信号を生成する。復調器は、等化器に結合され、等化済み信号を復調する。低域通過フィルタは、復調器に結合されており、復調済み信号を低域通過フィルタ処理してスプリアス信号を検出し、そして、オフセット信号を生成する。係数発生器は、低域通過フィルタに結合されており、オフセット信号を所定のしきい値と比較し、オフセット信号が所定のしきい値に関する所定の条件を満足すれば、第２セットの係数を生成して、定包絡アルゴリズムを再初期化するように構成されている。ここで、定包絡アルゴリズム用の第２セットの係数は、スプリアス信号の周波数及び所定のひな形フィルタに関係する１セットの係数に基づき生成される。
【０００８】
更に他の態様において、信号を受信するための無線受信機における方法を提供する。本方法は、第１セットの係数を用いて初期化された定包絡アルゴリズムを受信信号に対して実行して、等化済み信号を生成する段階と、等化済み信号を復調する段階と、復調済み信号をフィルタ処理してスプリアス信号を検出し、且つ、オフセット信号を生成する段階と、オフセット信号を所定のしきい値と比較し、且つ、オフセット信号が所定のしきい値に関する所定の条件を満足すれば、第２セットの係数を生成して定包絡アルゴリズムを再初期化する段階と、を備える。
【０００９】
図１は、一実施形態に基づくＦＭ受信機１０を示す。ＦＭ受信機１０は、アンテナ１２、ミキサ１４、局部発振器１６、アナログ・デジタル（Ａ／Ｄ）変換器１８、自動利得制御（ＡＧＣ）回路２０、定包絡アルゴリズム（ＣＭＡ）チャネル等化器２２、ＦＭ復調器２４、ダウンサンプラー２６、ダウンサンプラー２８、直流（ＤＣ）低域通過フィルタ（ＬＰＦ）３０、係数発生器３２、多重（ＭＰＸ）消去器３４、及びステレオデコーダ３６を含む。
【００１０】
アンテナ１２は、ミキサ１４の第１入力に結合される。ミキサ１４は、局部発振器１６に結合され局部発振器信号を受信するための第２入力と、Ａ／Ｄ変換器１８の入力に結合された出力と、を有する。ミキサ１４及び局部発振器１６を用いると、アンテナ１２からの無線周波数（ＲＦ）信号を約１０．８ＭＨｚの中間周波数（ＩＦ）帯域のＦＭ信号に変換できる。他の実施形態では、ＩＦは、異なってよい。アンテナ１２、ミキサ１４、及び局部発振器１６は、受信機部の一部であり、「フロントエンド」として知られている。図１には図示していないフロントエンドの他の部位が、存在する。例えば、フロントエンドは、受信ＦＭ信号を増幅及び広帯域フィルタ処理する回路を有し得る。更に、他の実施形態では、ミキサ１４に接続された複数のアンテナが存在し得る。更に、他の実施形態では、アンテナ１２とミキサ１４との間に、スイッチ（図示せず）を接続してよい。ＲＦフロントエンド設計は、当分野において既知であり、これ以上詳細に説明しない。Ａ／Ｄ変換器１８は、フロントエンド回路のアナログ出力信号をデジタル信号に変換し、ＦＭ信号をＩＦ周波数から基底帯域周波数に移動させる。
【００１１】
Ａ／Ｄ変換器１８は、ＡＧＣ回路２０の入力に結合された出力を有し、４８０キロサンプル毎秒（ＫＳ／ｓ）のサンプル速度でＩ及びＱ直交信号を供給する。そして、ＡＧＣ回路２０は、「利得制御済み信号２１」と表記した利得制御された信号をＣＭＡ等化器２２に供給する。ＣＭＡ等化器２２は、「等化済み信号２３」と表記された定数係数信号をＦＭ復調器２４に供給するための出力を有する。ＣＭＡ等化器は、利得制御済み信号２１に等化処理を実施して、比較的一定の振幅を有する等化済み信号２３を生成する。ＦＭ復調器２４は、復調されたＭＰＸ信号２５（復調済みＭＰＸ信号２５）をダウンサンプラー２６に供給するための出力を有する。ダウンサンプラー２６は、復調されたＭＰＸ信号２５に２分の１のダウンサンプリングを行い、サンプル速度を２４０ＫＳ／ｓに低減する。次に、ダウンサンプリングされた信号は、ＭＰＸ消去器３４に供給され、そして、ダウンサンプラー２８に供給される。ダウンサンプラー２８は、５つ毎のダウンサンプリングを行うものであり、また、サンプル速度４８ＫＳ／ｓでのダウンサンプリング済み信号を供給するための出力を有する。他の実施形態において、サンプル速度は、異なってよいことに留意されたい。ＤＣ（直流）ＬＰＦ３０は、ダウンサンプラー２８の出力に結合された入力と、「オフセット３１」と表記されたオフセット信号を係数発生器３２の入力に供給するための出力と、を有する。ＤＣ＿ＬＰＦ３０は、復調及びダウンサンプリングされた信号をダウンサンプラー２８から受信し、そして、検出されたスパーの周波数に対応する電圧を有するＤＣ信号として、オフセット信号３１を供給する。ＭＰＸ消去器３４は、ステレオデコーダ３６の入力に結合された出力を有する。ステレオデコーダ３６は、ＦＭ受信信号に対応するステレオオーディオ信号を供給するための「Ｌ」及び「Ｒ」と表記された左側及び右側出力をそれぞれ有する。係数発生器３２は、係数３３をＣＭＡ等化器２２の制御入力に供給するための第１出力と、「消去器制御３５」と表記された制御信号をＭＰＸ消去器３４の制御入力に供給するための第２出力と、を有する。
【００１２】
図２は、例示の実施形態を理解するのに有用な周波数領域において図１の受信機１０の様々な信号を示す。受信機１０の動作について、図１及び２を参照して説明する。動作中、受信機１０は、所定の周波数、即ち、局に合調され、また、ＦＭ信号が、アンテナ１２、ミキサ１４、局部発振器１６、及びＡ／Ｄ変換器１８によって受信され、処理されて、直交信号Ｉ及びＱが生成される。Ｉ及びＱ信号は、ＡＧＣ２０によって処理され、信号が変化して、比較的固定された信号強度を有する利得制御済み信号２１が生成される。受信機フロントエンド回路等の意図しない影響により、ＦＭ信号と共に１つ又は複数のスパーが、生成され、図２に示すように、ＡＧＣ２０の利得制御済み信号２１の対象周波数帯に単一トーン信号として出現することがある。例示の実施形態に基づき、ＣＭＡ等化器２２を用いて、スパーを含む利得制御済み信号２１の振幅を等化する。図２に示すように、ＣＭＡ等化器２２は、全域通過フィルタを通常表す第１セットの係数によって初期化されて、スパーを検出してそれに固定され、ＦＭ信号を減衰させて初期の等化済み信号２３を生成する。初期の等化済み信号２３は、復調されて復調済みＭＰＸ信号２５が生成される。復調済み信号２５は、スパー及び復調済みＦＭ信号を含む。スパーは、図２に示すように、ＤＣになり、ＦＭ復調済み信号の周波数帯が、復調器２４によって縮小される。他の実施形態では、復調済み信号２５の周波数帯は、変更しなくてよい。ダウンサンプラー２６及び２８によってダウンサンプリングされた後、復調済みＦＭ信号及びスパーは、ＤＣ＿ＬＰＦ３０に供給される。ＤＣ＿ＬＰＦ３０は、実質的に復調済みＦＭ信号全体を除去し、スパーからのＤＣ電圧だけを電圧オフセット３１として残す。オフセット３１は、係数発生器３２に供給される。スパー電圧オフセット３１が所定のしきい値より高い場合、第２セットの等化器係数を決定し、ＣＭＡを再初期化してスパーを除去するために、以下の式を用いる。
【００１３】
【数１】
2010528533.tif 000003
一般的に、第２セットの係数によって、ＣＭＡ等化器２２は、ＦＭ信号の周波数帯中にスパー周波数でノッチを生成し得る。ノッチは、単一周波数のスプリアス信号を効果的に除去する。上式において、ｆｓｐｕｒは、スパー電圧オフセット３１に対応する周波数であり、Ｆｓは、サンプル速度であり、Ｋは、１から等化器のタップ数までの実数整数の列である。Ｃｏｅｆｆｉｃｉｅｎｔｓｐｒｏｔｏｔｙｐｅは、ノッチ周波数ｆｎｏｔｃｈのノッチを有する所定のひな形フィルタに関係する係数のセットである。例示の実施形態において、ｆｎｏｔｃｈは、５０ＫＨｚである。他の実施形態では、５０ＫＨｚ以外の周波数を上式において用いてよい。ｆｎｏｔｃｈに用いる周波数は、対象周波数帯内においてランダムに選択し得る。好適な一実施形態において、周波数ｆｎｏｔｃｈは、対象周波数帯の中心周波数付近である。ひな形フィルタは、周波数ｆｎｏｔｃｈのノッチを有する。ひな形フィルタに中心周波数を用いると、ひな形のノッチがスパー周波数に対応するために動く距離が、最小になる。Ｃｏｅｆｆｉｃｉｅｎｔｓｎｅｗは、新しく生成した第２セットの係数である。そして、新しい係数は、適切な利得係数と共に用いられて、ＣＭＡ等化器２２を再初期化する。新しい係数は、等化済み信号２３中にスパー周波数でノッチを生成するために用いる。結果的に生じる等化済み信号２３を図２に示す。結果的に生じる等化済み信号２３のノッチは、スパー周波数にあり、従って、ＦＭ受信信号からスパーを除去する。再初期化後、ＣＭＡ２２は、再び再初期化することなく適応可能に更新する。更に、オフセット３１が所定のしきい値より大きい場合、係数発生器３２からの消去器制御信号３５を用いて、ＭＰＸ消去器３４を制御してＭＰＸ消去器３４に関連する雑音検出しきい値を下げる。
【００１４】
スパーは、存在しないことがあったり、スパーの振幅がＦＭ信号の振幅より小さい場合、検出されなかったりする。フロントエンド回路のＲＦ機能は、一部の合調チャネルでは、ＩＦ信号中にスプリアス信号を生成し、他のチャネルでは生成しないことがある。ＦＭ信号を最初に受信した時、スパーが検出されない場合、ＣＭＡ２２は、再初期化せずに動作し得る。即ち、上式は、係数の再初期化には用いない。例示の実施形態にはＦＭ信号が含まれることに留意されたい。しかしながら、他の実施形態では、ＣＭＡを用いて処理される他の変調タイプの信号を、ＦＭ信号の代わりに用いてよい。
【００１５】
本実施形態は、集積回路におけるデジタル信号プロセッサ（ＤＳＰ）のソフトウェア又はファームウェアで実現するようになっている。ＦＭ受信機は、ＣＭＡベースのチャネル等化器を有するデジタルＩＦ自動車無線の一部である。しかしながら、本実施形態は、ハードウェア又はソフトウェア、又はハードウェア及びソフトウェアの組合せとして実現し得る。更に、本実施形態は、他の環境における他の種類の無線受信機において用い得る。本実施形態は、例えば、受信機フロントエンド回路の欠陥によって生じ得る検出スパーをＦＭ信号から除去する。上述したスパーを除去すると、チャネル等化器により依然として定数係数ＳＯＩを等化しつつ、ＦＭ信号のオーディオ品質が改善される。更に、本実施形態は、近傍のＤ級増幅器によって生じ得る電磁干渉（ＥＭＩ）を低減できる。
【００１６】
図３は、図１のＦＭ受信機１０を動作させるための方法を示す。ステップ５０において、受信機１０は、ＦＭ信号を受信するように合調される。ステップ５２において、ＣＭＡ等化器は、全域通過フィルタとして初期化される。最初にＦＭ信号を受信して、スパーが周波数帯内でＣＭＡ等化器２２によって検出されると、ＣＭＡ等化器２２が、ステップ５４で動作する。ＣＭＡ等化器２２は、等化されるＦＭ信号の代わりにスパーに固定され、実質的にＦＭ信号全体を除去する。ステップ５６において、ＦＭ信号は、ＦＭ復調器２４を用いて復調される。ダウンサンプラー２６及び２８によってダウンサンプリングされた後、ＤＣ低域通過フィルタ３０は、ステップ５８で用いられ、復調済み信号を低域通過フィルタ処理してスパーを検出し、そして、信号オフセット３１を生成する。判断ステップ６０において、信号オフセット３１を所定のしきい値と比較する。オフセット３１がしきい値以下である場合、「いいえ」経路を選択してステップ６２に進み、スパーが検出されなかったことを示し、そして、ＣＭＡ２２は、上式によって初期化されることなく、継続してＦＭ信号を等化する。判断ステップ６０においてオフセット３１がしきい値より大きい場合、「はい」経路を選択してステップ６４に進む。ステップ６４において、オフセット３１は、係数発生器３２を用いて、変換され、スパー周波数が求められる。信号オフセット３１は、係数発生器３２の参照表（図示せず）を用いることによって変換され、オフセット３１に基づきスプリアス信号の周波数を決定する。他の実施形態において、オフセット３１は、参照表の代わりに線形方程式を用いて変換してもよい。ステップ６６において、新しい係数３３が、新しい係数用の上式を用いて係数発生器３２によって生成され、且つ、ＣＭＡ２２を再初期化するために用いられて、本方法は、ステップ６２に続く。更に、オフセット３１が、任意の残留雑音を除去する所定のしきい値より大きい場合、消去器制御３５を用いて、ＭＰＸ消去器３４に関連する雑音検出しきい値を下げるようにＭＰＸ消去器３４を制御する。本方法は、ＦＭ受信機が新しい局に合調される時はいつでも繰り返される。
【００１７】
以上、ＦＭ受信信号からスパーを除去するための方法及び受信機が提供されたことを認識されたであろう。スパーは、ＣＭＡ等化器用の新しい係数を生成することによって除去される。新しい係数は、スパー周波数においてノッチを生成する。これにより、ＣＭＡの残りの帯域幅に影響を及ぼすことなくスパーを除去する。更に、ＭＰＸ消去器を用いて、スプリアス信号から任意の残留雑音を除去する。
【００１８】
このように、本明細書に示した構成は代表例に過ぎず、また、実際、同じ機能を果たす他の多くの構成を実現し得ることを理解されたい。抽象的であるが依然として明らかに、同じ機能を果たす要素の任意の構成が、所望の機能を果たすように効果的に「連携する」。従って、本明細書において特定の機能を果たすように組み合わせた任意の２つの構成要素は、構成体又は中間構成要素にかかわらず、所望の機能を果たすように互いに「連携している」と見なすことができる。また同様に、そのように連携した任意の２つの構成要素は、所望の機能を達成するために互いに「動作可能に接続している」又は「動作可能に結合している」と見なし得る。
【００１９】
更に、説明及び請求項における用語「前面」、「背面」、「上部」、「底部」、「上方」、「下方」等は、もしあれば、説明目的に用いるものであって、必ずしも恒久的な相対的位置について述べているとは限らない。そのように用いる用語は、本明細書に記載した本発明の実施形態が、例えば、例示したもの又はそれ以外に本明細書において述べたものと異なる向きで動作が可能であるように、然るべき状況下で交換可能であると理解されたい。
【００２０】
本発明について、特定の実施形態を参照して本明細書に記載したが、様々な修正及び変更は、以下の請求項に記載した本発明の範囲から逸脱することなく行い得る。従って、明細書及び図は、限定的であるよりもむしろ例示的であると見なすべきであり、また、全てのそのような修正は、本発明の範囲内に含まれるものとする。具体的な実施形態に関して本明細書に述べた問題に対するどのような恩恵、利点、又は解決策も、全ての請求項の決定的な、必要な、又は本質的な特徴もしくは要素として解釈されるものではない。
【００２１】
特に指定しない限り、「第１」及び「第２」等の用語は、そのような用語が記述する要素間を任意に区別するために用いる。従って、これらの用語は、必ずしもそのような要素の時間的な又は他の優先順位付けを示すとは限らない。
【００２２】
本明細書に用いる用語「結合」は、直接的結合又は機械的結合に限定するものではない。
【図１】
2010528533.tif 000007
【図２】
2010528533.tif 000008
【図３】
2010528533.tif 000009
【国際調査報告】
2010528533.tif 000010
2010528533.tif 000011